(57)【要約】      （修正有）【課題】より高性能なダイバーシティ受信を行なう放送復調装置を提供する。【解決手段】複数のブランチを有する復調装置において、各ブランチの受信品質と、複数のブランチからの信号を合成した後の信号品質を検査する。信号品質が良い場合には、各ブランチの受信品質が最も悪いブランチの動作を停止する。また、停止したブランチを起動する場合、既に起動しているブランチの同期用検出情報をこれから起動するブランチに適用し、新たに起動するブランチの同期確立までの時間を短縮する。【選択図】図２
2009100058.tif 000002
【特許請求の範囲】
【請求項１】
信号を受信して第一復調信号を生成する第一復調回路と、
前記信号を受信して第二復調信号を生成する第二復調回路と、
前記第一復調信号と前記第二復調信号を合成して、合成復調信号を生成する合成部と、
前記合成復調信号に基づいて受信状況を検出し、検出信号を出力する第一検出部と、
前記検出信号に基づいて、前記第一復調回路又は前記第二復調回路のいずれかに対して合成の停止を行い、次いで前記第一復調回路又は前記第二復調回路のいずれかを停止するよう制御する制御部と
を有することを特徴とする復調回路。
【請求項２】
前記第一復調信号に基づいて受信状況の検出する第二検出部と、
前記第二復調信号に基づいて受信状況の検出する第三検出部と、
をさらに有し、
前記制御部は、前記第一復調回路と前記第二復調回路のうち、受信状況の悪いほうを選択して前記合成の停止を行うことを特徴とする請求項１に記載の復調回路。
【請求項３】
前記第一検出部、前記第二検出部、前記第三検出部はそれぞれＭＥＲ検出回路、Ｃ/Ｎ検出回路、又は誤り訂正回路のいずれかであることを特徴とする請求項２に記載の復調回路。
【請求項４】
前記第一復調回路及び前記第二復調回路にクロックを供給するクロック発生源をさらに有し、
前記第一復調回路又は前記第二復調回路のいずれかを停止する制御は、前記クロックの供給停止を行う制御であることを特徴とする請求項１乃至３いずれか１項に記載の復調回路。
【請求項５】
前記合成の停止が行われた前記第一復調回路又は前記第二復調回路を用いて、他チャンネル情報を取得することを特徴とする請求項１乃至４何れか１項に記載の復調回路。
【請求項６】
前記第一検出部の検出結果により、受信状況が悪くなったと判断されたら、前記合成の停止が行われた前記第一復調回路又は前記第二復調回路の合成の再開を行うことを特徴とする請求項１に記載の復調回路。
【請求項７】
信号を受信して第一復調信号を生成する第一復調回路と、前記信号を受信して第二復調信号を生成する第二復調回路と、前記第一復調信号と前記第二復調信号を合成して、合成復調信号を生成する合成部と、前記合成復調信号に基づいて受信状況を検出し、検出信号を出力する第一検出部と、前記検出信号に基づいて、前記第一復調回路又は前記第二復調回路のいずれかに対して合成の停止を行いし、次いで前記第一復調回路又は前記第二復調回路のいずれかを停止するよう制御する制御部とを有する復調回路と、
前記第一復調回路に接続され、前記信号を受信する第一アンテナと、
前記第二復調回路に接続され、前記信号を受信する第二アンテナと、
前記合成復号信号を処理して前記信号の再生処理を行う再生処理部と、
を備えることを特徴とする復調端末。
【請求項８】
キャリア信号から第一クロック抽出を行なう第一同期部と、
前記キャリア信号から第二クロック抽出を行なう第二同期部と、
前記第一同期部の同期はずれを示す第一検出信号を出力する第一検出回路と、
前記第一同期部の第一同期情報と、前記第二同期部の第二同期情報が入力され、前記第一検出信号に基づき、前記第二同期情報を、前記第一同期部へ送信する選択回路と、
前記第一同期部の出力を復調する第一復調回路と、
前記第二同期部の出力を復調する第二復調回路と、
前記第一復調回路の第一復調信号と前記第二復調回路の第二復調信号を合成する合成回路と、
を備える復調装置。
【請求項９】
前記第一同期部は、
キャリア周波数ずれ計算部と、
前記キャリア周波数ずれ計算部の出力に基づいて前記第一同期情報を出力するフィルター回路と、
前記フィルター回路の出力に基づいてクロック誤差補正を行うクロック誤差補正回路と、
を更に備えることを特徴とする請求項８に記載の復調装置。
【請求項１０】
前記選択回路は、出力した前記第一同期情報又は前記第二同期情報を保持するレジスタをさらに有することを特徴とする請求項８に記載の復調装置。
【発明の詳細な説明】
【技術分野】
【０００１】
本発明は、デジタル放送を受信する放送復調装置に関する。
【背景技術】
【０００２】
デジタル放送を受信する携帯端末や車載端末において、移動受信を目的として、復調処理部を複数個用意し、ダイバーシティ受信により受信性能を向上させる方法がある。すなわち、同じチャネルの信号を２以上のアンテナで受信し、これらのアンテナで受信された信号を最大比合成処理して、高品質の信号の復調を行なうというものである。
【０００３】
しかしながら、ダイバーシティ受信を行うと、受信性能が向上するが、復調部が複数あるため、消費電力が大きくなるという問題がある。
また、ダイバーシティ受信対応の復調処理部において、一部のブランチのみ再同期する際や、外部制御装置の制御により、シングル受信からダイバーシティ受信に切り替わる際には、同期しているブランチがあっても、それまで同期していなかったブランチについては、必ず、ブランチごとに受信開始時と同様な同期処理過程を行っている。
【０００４】
したがって、シングル受信からダイバーシティ受信に切り替わる際には、正常な復調データを端末の出力装置に出力するまでに時間を要するという問題がある。
なお、特許文献１には、独立制御可能な複数のブランチを備え、ダイバーシティ受信装置としても複数チャネル同時受信装置としても動作可能な受信装置が開示されている。
【特許文献１】特開２００７−１３９０６号公報
【特許文献２】特開２００６−２７０２１９号公報
【発明の開示】
【発明が解決しようとする課題】
【０００５】
本発明の課題は、より高性能なダイバーシティ受信を行なう放送復調装置を提供することである。
【課題を解決するための手段】
【０００６】
本発明の一側面に従った復調回路は、信号を受信して第一復調信号を生成する第一復調回路と、前記信号を受信して第二復調信号を生成する第二復調回路と、前記第一復調信号と前記第二復調信号を合成して、合成復調信号を生成する合成部と、前記合成復調信号に基づいて受信状況を検出し、検出信号を出力する第一検出部と、前記検出信号に基づいて、前記第一復調回路又は前記第二復調回路のいずれかに対して合成の停止を行い、次いで前記第一復調回路又は前記第二復調回路のいずれかを停止するよう制御する制御部とを有する。
【０００７】
また、本発明の一側面に従った復調装置は、キャリア信号から第一クロック抽出を行なう第一同期部と、前記キャリア信号から第二クロック抽出を行なう第二同期部と、前記第一同期部の同期はずれを示す第一検出信号を出力する第一検出回路と、前記第一同期部の第一同期情報と、前記第二同期部の第二同期情報が入力され、前記第一検出信号に基づき、前記第二同期情報を、前記第一同期部へ送信する選択回路と、前記第一同期部の出力を復調する第一復調回路と、前記第二同期部の出力を復調する第二復調回路と、前記第一復調回路の第一復調信号と前記第二復調回路の第二復調信号を合成する合成回路とを備える。
【０００８】
上記のような復調回路を備えた放送受信装置では、受信信号品質に応じて、第一あるい
は第二の復調回路（ブランチ）を停止するので、無駄に電力を消費することを防止することが出来る。また、上記復調装置では、停止していた復調回路（ブランチ）を起動する場合に、既に動作しており、同期が確立している復調回路（ブランチ）が保持している同期情報を停止していた復調回路の起動に使用するので、停止していた復調回路が独自に同期処理を全てやら無くてもよくなり、起動時間の短縮を図ることが出来る。
【発明の効果】
【０００９】
開示の放送受信装置によれば、より高性能なダイバーシティ受信を行なうことが出来る。
【発明を実施するための最良の形態】
【００１０】
本発明の一実施形態によれば、複数の復調処理手段（以下、１つの復調処理手段を１ブランチと呼ぶ）を有するダイバーシティ復調装置において、各ブランチの変調誤差（Modulation Error Rate、以下MER)を検出する手段と、ダイバーシティ合成後のMERを検出する手段と、ダイバーシティ合成のオン/オフを制御する手段と、各ブランチの動作クロックのオン/オフを制御する手段を有し、ダイバーシティ合成後のMERから受信状況が良いと判断できた場合、受信状況の悪い（MERの大きい）ブランチから順番に、ブランチの合成処理を停止する手段と、合成処理を停止したブランチのクロックを停止する手段を備える。
【００１１】
また、シングル受信のブランチのMERから受信状況が悪いと判断できた場合、1ブランチずつ順番に停止しているブランチのクロックを動作開始する手段と、ブランチの合成処理を開始する手段を備える。
【００１２】
更に、外部制御回路から読み出し可能な、各ブランチのクロックの停止状態、および、各ブランチの合成状態を記憶する手段を有し、シングル受信時に、クロックが停止しているブランチを使って、他のチャネルを受信し、復調情報等の取得を行う。
【００１３】
そして、以上の構成を用いることにより、受信状況によって、ブランチのオン/オフを行うことで、復調装置の消費電力を削減することが可能となる。
図１は、一般的なデジタル放送復調装置の構成を説明する図である。
【００１４】
図１において、デジタル放送復調装置１０には、各チューナからの信号が入力される。ここで、ｎ個の各アンテナに一つずつ接続されたチューナ（不図示）は、ｎ個（ｎは２以上の整数）あるものとしている。各チューナ信号は、各Ａ／Ｄ変換器１１−１〜１１−ｎに入力され、デジタル信号に変換される。次に、デジタル化された信号は、復調部１２−１〜１２−ｎに入力されて復調される。復調された各信号は、合成部１３において合成される。この合成の仕方は、たとえば、最大比合成の方法を用いる。合成部１３の出力は、誤り訂正部１４に入力され、誤り訂正がなされた後、画像データである、たとえば、ＭＰＥＧ２の信号として、信号処理部（不図示）に送られる。
【００１５】
図２は、本発明の第１の実施形態に従ったデジタル放送復調装置の構成を示す図である。
図２において、図１と同じ構成要素は、同じ参照符号を付して説明を省略する。
【００１６】
復調部１２−１〜１２−ｎにおいて復調された各ブランチの信号は、ブランチごとに設けられたＭＥＲ検出部２０−１〜２０−ｎに入力される。ＭＥＲ検出部２０−１〜２０−ｎにおいては、受信した各ブランチの復調データ毎に、ＭＥＲ（Modulation Error Rate）を計算し、復調データと共に、判定部２１に入力する。判定部２１は、各ブランチのＭＥＲの値と、ＭＥＲ検出部２３において得られた合成後の信号のＭＥＲを基に、各ブランチに対応して設けられた合成制御部２２−１〜２２−ｎに対し、各ブランチのオン／オフ
信号を入力する。このとき、判定部２１から各合成制御部２２−１〜２２−ｎへは、復調データも入力される。各合成制御部２２−１〜２２−ｎにおいては、各ブランチからの復調信号をどのように重み付けて合成するべきかを演算し、復調データに重みを乗算してから、重み付けられた各復調データを合成部１３に入力する。合成部１３では、重み付けられた復調データを加算し、加算結果をＭＥＲ検出部２３に入力する。ＭＥＲ検出部２３は、合成後の復調データのＭＥＲと、合成後の復調データを出力する。ＭＥＲ検出部２３からの復調データは、誤り訂正部１４に入力され、誤り訂正された後、画像データ等のユーザデータとして、出力される。一方、ＭＥＲ検出部２３からのＭＥＲは、判定部２１にフィードバックされる。判定部２１は、ＭＥＲ検出部２０−１〜２０−ｎからのＭＥＲ値と、ＭＥＲ検出部２３のＭＥＲ値から、どのブランチをオンし、どのブランチをオフにするかを判定する。オフするブランチが決定したら、オフすべきブランチの合成制御部２２−１〜２２−ｎに、合成に使用する重みを「０」に設定すべき指示を、オン／オフ信号として入力する。また、オフすると決定されたブランチに対しては、各ブランチのＡ／Ｄ変換器１１−１〜１１−ｎからＭＥＲ検出部２０−１〜２０−ｎまでの装置の動作クロックの供給を停止する。動作クロックには、デジタル放送復調装置１０に内蔵されるクロック発生部２４からのクロック信号が用いられる。但し、発生したクロック信号は、ブランチごとに設けられたクロック制御部２５−１〜２５−ｎを介して、各ブランチに供給される。したがって、オフすべきブランチに対しては、クロック制御部２５−１〜２５−ｎの内、対応するクロック制御部がクロックの送出を停止するようにする。
【００１７】
また、合成制御２２−１〜２２−ｎとクロック制御部２５−１〜２５−ｎとにおいて設定されるブランチのオン／オフ情報は、レジスタ２６に書き込まれ、外部から読み足し可能となっている。
【００１８】
図３は、本発明の第１の実施形態に従ったデジタル放送復調装置の動作を示すフローチャートである。
図３のフローは、図２の判定部２１が行なう処理である。
【００１９】
復調装置は同期後、各ブランチの復調信号のMERとダイバー合成信号のMERを検出する。受信開始時は、ダイバーシティ受信モードで動作し、ダイバー合成信号のMERから、受信状況が良いと判断した場合、ブランチ１つの合成を停止して、そのブランチのクロックを止める。合成、クロックを止めるにあたっては、各ブランチのMERが最も大きいものを選ぶ。このため、ダイバー合成ブランチ数が減っても、ダイバー合成後受信信号が劣化を抑制することが可能になる。
【００２０】
ダイバー合成信号のMERから受信状況が悪いと判断した場合、合成、クロックが停止しているブランチがあれば、停止しているブランチ１つのクロックを供給開始し、同期した後、ダイバー合成を開始する。
【００２１】
上記動作は、すべてデジタル放送復調装置が自立して行う。また、各ブランチのMER、合成、クロックの停止状態は、復調装置外部から読み出し可能で、各ブランチの合成、クロックのオン／オフを外部から制御することも可能な構成となっている。
【００２２】
図３に基づいて説明すると、ステップＳ１０において、ダイバーシティ合成後のＭＥＲ（図２のＭＥＲ検出部２３で検出されるＭＥＲ）を検出し、ステップＳ１１において、ＭＥＲが受信状況が良い場合を示しているか否かが判断される。ステップＳ１１の判断がＹｅｓの場合には、各ブランチのＭＥＲ（図２のＭＥＲ検出部２０−１〜２０−ｎで検出されるＭＥＲ）を検出し、ＭＥＲの一番大きなブランチの合成を停止し（すなわち、最も信号品質が悪いブランチの信号の重みを「０」とする）、ステップＳ１４において、ＭＥＲの一番大きいブランチのクロックを停止して、ステップＳ１０に戻る。ステップＳ１１の
判断がＮｏのときは、ステップＳ１５において、停止しているブランチの１つについて、クロック動作を開始し、次にステップＳ１６において、停止していたブランチからの信号の重みを「０」でないものに設定して、他のブランチからの信号と共に合成を行なうようにして、ステップＳ１０に戻る。
【００２３】
図４は、ＭＥＲ(Modulation Error Rate)について説明する図である。
ＭＥＲは、変調信号の品質評価指標の１つである。図４に示すとおり、例えば、変調方式が64QAMの場合、送受で外乱がない場合、受信信号は、送信点のいずれかの点と一致することになる。伝送路で外乱が加わった場合、送信点と一致することはなく、受信点と、受信点から一番近い送信点との距離、あるいは、距離の2乗を算出し、それを平均したものをＭＥＲとして用いる。
【００２４】
受信状況の判定のため情報としては、ＭＥＲに限ることはない。たとえば、各ブランチのＭＥＲ検出部２０−１〜２０−ｎで行なうＭＥＲ検出は、受信Ｃ／Ｎ、あるいは、ＡＧＣフィードバック値を検出するようにしても良く、合成後のＭＥＲ検出部２３で行なうＭＥＲ検出は、ＢＥＲ(Bit Error Rate)を検出するようにしても良い。
【００２５】
図５は、受信状況の判定方法を説明するフローチャートである。
図５のフローチャートは、図３のステップＳ１１の判断部分を詳細にした図である。
所定期間間隔でＭＥＲと閾値を比較し、カウンタ（不図示）をカウントアップ、カウントダウンする。閾値は、カウントアップ用、カウントダウン用の２つ用意する。別途、カウント値を閾値と比較し、受信状況を判断する。こちらも受信良好判断用と劣悪判断用に２つ閾値を用意する。
【００２６】
図５に沿って説明すると、ステップＳ２０において、所定期間の待ち状態に入る。所定期間過ぎたら、ステップＳ２１において、ＭＥＲ＜閾値１（カウントアップ用閾値）であるか否かを判断する。ステップＳ２１の判断がＹｅｓの場合には、ステップＳ２２において、不図示のカウンタをカウントアップし、ステップＳ２５に進む。ステップＳ２１の判断がＮｏの場合には、ステップＳ２３において、ＭＥＲ＞閾値２（カウントダウン用閾値）であるか否かを判断する。ステップＳ２３の判断がＮｏの場合には、ステップＳ２０に戻る。ステップＳ２３の判断がＹｅｓの場合、ステップＳ４４において、不図示のカウンタをダウンとダウンして、ステップＳ２５に進む。
【００２７】
ステップＳ２５においては、カウンタのカウント値＞閾値３（受信良好判断用閾値）であるか否かを判断する。ステップＳ２５の判断がＹｅｓの場合には、ステップＳ２６において、受信状態が良好と判断し、ステップＳ２０に戻る。ステップＳ２５の判断がＮｏの場合には、ステップＳ２７において、カウント値＜閾値４であるか否かを判断する。ステップＳ２７の判断がＮｏの場合には、ステップＳ２０に戻る。ステップＳ２７の判断がＹｅｓの場合には、受信状態が劣悪であると判断し、ステップＳ２０に戻る。
【００２８】
なお、閾値１＜閾値２であり、閾値４＜閾値３である。
図６は、停止しているブランチが存在する場合に、このブランチを別用途に使う第１の実施形態の動作を説明するフローチャートである。
【００２９】
受信状況が良好な場合、停止しているブランチが存在する可能性が大きい。デジタル放送復調装置の外部から各ブランチの停止状態を定期的に読み出し、あるいは、復調装置がブランチを停止する場合に割り込み信号を立て、停止ブランチがあると判断された場合には、図６に示す通り、デジタル方法復調装置の外部の制御装置が、停止ブランチのクロック供給を開始し、視聴チャンネルとは別のチャンネルを受信して、番組情報を取得する。
【００３０】
上記動作で、視聴を阻害することなく、複数チャネルの復調情報を取得することが可能となる。
図６に基づいて動作を説明する。まず、ステップＳ３０において、停止ブランチがあるか否かを判断する。ステップＳ３０の判断がＮｏの場合には、ステップＳ３０を繰り返す。ステップＳ３０における判断がＹｅｓの場合には、ステップＳ３１において、停止ブランチへクロックを供給し、停止ブランチの動作を開始させる。そして、ステップＳ３２において、動作を開始したブランチを使って、他チャネルの復調を行ない、ステップＳ３０に戻る。
【００３１】
以上説明したように、第１の実施形態によれば、受信状況によって、ブランチのオン/オフを行うことで、ダイバーシティ受信の性能劣化を生ずることなく、デジタル放送復調装置の消費電力を削減することが可能となる。
【００３２】
図７は、本発明の第２の実施形態を説明するための復調装置の全体ブロック図である。
図７においては、ブランチは２個としているが、３個以上あっても同様である。
チューナからの信号は、Ａ／Ｄ変換器３０−１、３０−２において、デジタル信号に変換され、同期部３１−１、３１−２において、受信信号と復調装置の動作クロックとの同期が取られる。ＦＦＴ部３２−１、３２−２で、同期部３１−１、３１−２からの信号が、高速フーリエ変換によって変換される。フレーム同期部３３−１、３３−２において、変換された信号のフレーム同期が取られ、復調部３４−１、３４−２において、フレーム同期が取られた信号が復調され、合成部３５において、２つのブランチからの信号が、たとえば、最大比合成処理によって合成される。合成後の信号には、誤り訂正部３６において、誤り訂正を施され、ＭＰＥＧデータのなどのユーザデータとして出力される。
【００３３】
図８は、信号の受信開始から同期確立までの過程を模式的に記載したものである。
停止していたブランチが動作を開始すると、初期状態の後、モード検出が行なわれる。モード検出は、送信されてきている信号の１シンボルあたりの長さを、受信信号を使って検出するものである。次に、クロック同期が図られる。クロック同期は、復調装置の動作クロックを受信信号のタイミングに一致させる処理である。次に、キャリア同期をとる。キャリア同期は、マルチキャリア方式の通信の場合、受信された信号のキャリアの周波数を、本来あるべき値（周波数グリッド上）にシフトするものである。次に、キャリアずれ補正が行なわれる。キャリアずれ補正は、キャリア同期がとられた信号について、キャリア周波数の位置が、ボタンの掛け違いのようにずれていないかを判断し、ずれている場合には、キャリア周波数を、キャリア周波数間隔を単位にしてずらすものである。すなわち、送信側で、４つのキャリアを送信し、これらキャリアの位置が、第１のキャリアが位置１、第２のキャリアが位置２、第３のキャリアが位置３、第４のキャリアが位置４となっていた場合を想定する。そして、キャリア同期後のキャリアの位置が、第１のキャリアが位置２、第２のキャリアの位置３、第３のキャリアの位置が位置４、第４のキャリア位置が位置５となっていたとする。すると、各キャリアは、本来の周波数グリッドに一致する周波数位置に来ているが（キャリア同期が取れているが）、送信側が送信した信号に比べると、キャリアの周波数位置が１本分ずれていることがわかる。この１本分のずれを直すのがキャリアずれ補正である。ここでは、１本分のずれが生じていると仮定したが、何本ずれていても同じである。また、ずれの方向が逆、すなわち、第１のキャリアが位置０になるような全体的ずれが生じている場合も同様である。フレーム同期は、受信したフレームの識別番号を、送信したフレームの識別番号と一致させる処理である。
【００３４】
図８からわかるように、ブランチが起動してから、同期状態に入るまでには、モード検出、クロック同期、キャリア同期、キャリアずれ補正、及び、フレーム同期を取る必要がある。しかし、これらの同期等を全て行なっていると、起動から同期状態に入るまでに、４４６ｍｓｅｃ〜６５９ｍｓｅｃ程度の時間がかかり、動作が遅くなってしまう。
【００３５】
そこで、第２の実施形態では、複数の復調処理手段（以下、１つの復調処理手段を１ブランチと呼ぶ）を有するダイバーシティ復調装置において、同期処理における、キャリア同期、クロック同期、キャリア周波数ずれ検出に関して、検出値を保持する手段を有し、片方のブランチのみ再同期する際や、外部制御装置の制御により、シングル受信からダイバーシティ受信に切り替わる際には、同期しているブランチの保持値を適用する手段を有し、再同期するブランチのキャリア同期、クロック同期、キャリア周波数ずれ検出、TMCC（Transmission and Multiplexing Configuration Control）誤り訂正といった同期過程をスルーすることを特徴とする。
【００３６】
ダイバーシティ受信対応のデジタル放送復調装置において、片方のブランチのみ再同期する際や、外部制御装置の制御により、シングル受信からダイバーシティ受信に切り替わる際に、同期過程における、モード検出、キャリア同期、クロック同期、キャリア周波数ずれ検出、TMCC誤り訂正といった各同期過程をスルーすることができる。
【００３７】
図９及び図１０は、本発明の第２の実施形態に従ったデジタル放送復調装置の構成を示す図である。
図１１は、第２の実施形態の効果を説明する図である。
【００３８】
図９は、図７の同期部３１−１、３１−２、ＦＦＴ部３２−１、３２−２、フレーム同期部３３−１、３３−２周辺の詳細を示した図である。チューナからの信号は、誤差補正部４０−１、４０−２、４１−１、４１−２によって、クロック同期やキャリア同期のための誤差補正が与えられる。誤差補正部４１−１、４１−２の出力は、誤差計算部４４−１、４４−２に入力されると共に、ＦＦＴ部４２−１、４２−２に入力される。ＦＦＴ部４２−１、４２−２からの出力は、フレーム同期部４３−１、４３−２に入力され、フレーム同期がとられた後、復調部３４−１、３４−２で復調され、合成部３５で合成される。合成後は、誤り訂正部３６で誤り訂正が行なわれ、ユーザデータとして出力される。
【００３９】
誤差計算部４４−１、４４−２は、誤差補正部４１−１、４１−２の出力を得て、クロックの同期はずれ、キャリアの同期はずれを計算し、誤差の計算結果を、ループフィルタ４５−１〜４５−４に入力すると共に、誤差の計算結果をモード検出部４７−１、４７−２に入力する。モード検出部４７−１、４７−２の出力は、ＦＦＴ部４２−１、４２−２に与えられ、正しいシンボル長でＦＦＴを行なうための制御信号として使われる。キャリア周波数ずれ計算部４８−１、４８−２は、ＦＦＴ部４２−１、４２−２の出力を得て、キャリア周波数ずれを計算し、計算結果をループフィルタ４５−２、４５−４に与える。ループフィルタ４５−１〜４５−４の出力は、誤差補正部４０−１、４０−２、４０−１、４０−２に与えられ、クロック同期とキャリア同期を取るために使用される。
【００４０】
ループフィルタ４５−１と４５−３、ループフィルタ４５−２と４５−４、モード検出部４７−１と４７−２、キャリア周波数ずれ計算部４８−１と４８−２は、互いに接続されており、一方のレジスタに格納されているデータが、他方に送信されるようになっている。すなわち、これらの回路の中には、図１０に示される回路が設けられる。図９の上側のブランチがブランチ１であり、ブランチ１のループフィルタ４５−１、４５−２、モード検出部４７−１、キャリア周波数ずれ計算部４８−１には、図１０（ａ）の回路が設けられる。また、図９の下側のブランチはブランチ２であるが、ブランチ２のループフィルタ４５−３、４５−４、モード検出部４７−２、キャリア周波数ずれ計算部４８−２には、図１０（ｂ）の回路が設けられる。
【００４１】
図１０（ａ）の回路は、それぞれブランチ１のループフィルタ４５−１、４５−２、モード検出部４７−１、キャリア周波数ずれ計算部４８−１の検出値と、ブランチ２側の対
応する回路の保持値とがセレクタ５０−１に入力され、ブランチ１の制御信号によって、いずれかを出力するようになっている。セレクタ５０−１の出力は、そのままブランチ１の検出値として出力されると共に、レジスタ５１−１に格納されて、ブランチ１の保持値としてブランチ２側の図１０（ｂ）の回路のセレクタ５０−２に入力される。図１０（ｂ）の回路では、セレクタ５０−２に、ブランチ２側のループフィルタ４５−３、４５−４、モード検出部４７−２、キャリア周波数ずれ計算部４８−２の検出値とブランチ１の保持値が入力され、ブランチ２の制御信号によって、選択的にいずれかを出力するようになっている。セレクタ５０−２の出力は、ブランチ２の検出値として出力されると共に、レジスタ５１−２に格納され、ブランチ２の保持値として出力される。
【００４２】
図１０（ａ）のセレクタ５０−１への制御信号は、図９の回路４６−１で生成される。また、図１０（ｂ）のセレクタ５０−２への制御信号は、図９の回路４６−２で生成される。回路４６−１は、ブランチ１が同期はずれ（受信動作を行なっていない）であり、かつ、ブランチ２が同期している（受信動作を行なっている）場合で、かつ、レジスタに値を保持する動作を行なうべき旨の指示信号がオンの場合に、ブランチ１の制御信号がオンとなる。回路４６−２は、ブランチ２が同期はずれ（受信動作を行なっていない）であり、かつ、ブランチ１が同期している（受信動作を行なっている）場合で、かつ、レジスタに値を保持する動作を行なうべき旨の指示信号がオンの場合に、ブランチ２の制御信号がオンとなる。
【００４３】
すなわち、両方のブランチが同期すると、同期過程における、モード検出、キャリア同期、クロック同期、キャリア周波数ずれ検出、TMCC誤り訂正といった各処理では、検出値を補正に適用するともに、検出値がレジスタに保持されている。例えば、ブランチ１が同期状態で、ブランチ２の同期がはずれた場合、あるいは、ブランチ２を何らかの理由で停止状態から動作開始する場合、ブランチ２の制御信号がＨｉになり、ブランチ２の同期過程の各処理は、ブランチ１の保持値が適用される。反対に、ブランチ１が同期はずれ状態で、ブランチ２が同期状態の場合もブランチ１の制御信号がＨｉとなり、ブランチ１の同期過程の各処理は、ブランチ２の保持値が適用される。たとえば、このように、同期しているブランチの保持値を自ブランチに適用することにより、新たに同期状態に入るブランチの同期過程は、図１１の通りとなる。図８と比較すると明らかなように、図１１の同期過程には、モード検出、クロック同期、キャリア同期、キャリアずれ補正の過程が無く、同期過程の時間が短縮される。図１１の場合の同期過程は、３６ｍｓｅｃ〜２４９ｍｓｅｃ程度であり、図９、図１０の第２の実施形態を適用した方が、早く同期状態に入れることがわかる。また、回路４６−１、４６−２のように、保持適用を指示する信号を制御信号の生成に使うことにより、他ブランチの保持値を、自ブランチの立ち上げに適用するか否かを制御することができる。
【００４４】
以上説明したように、第２の実施形態によれば、ダイバーシティ受信対応の復調処理部において、片方のブランチのみ再同期する際や、外部制御装置の制御により、シングル受信からダイバーシティ受信に切り替わる際に、同期過程の時間が短縮されるため、正常な復調データを出力するまでの時間が短縮される（446msec〜659msec→36msec〜249msec）。
【００４５】
図１２〜図１４は、第１と第２の実施形態の両方を併用した第３の実施形態にしたがったデジタル放送復調装置のブロック構成図である。
図１２において、Ａ／Ｄ変換器５５−１〜５５−ｎ、同期部５６−１〜５６−ｎ、ＦＦＴ部５７−１〜５７−ｎ、フレーム同期部５８−１〜５８−ｎ、復調部５９−１〜５９−ｎ、ＭＥＲ検出部６０−１〜６０−ｎがブランチを形成している。図１２では、２つのブランチのみを代表的に記載しているが、一般には、ｎ本のブランチが設けられる。判定部６１は、どのブランチを停止し、どのブランチを再起動するかを判定する。合成制御部６
２−１〜６２−ｎは、復調データに重みを乗算する回路であり、合成部６３は、最大比合成などの重み加算を行なう回路である。合成部６３の出力は、ＭＥＲ検出部６４に入力され、ＭＥＲが求められる。ＭＥＲ検出部６４を通過した復調データは、誤り訂正部６５において、誤り訂正処理を受け、ユーザデータ（たとえば、ＭＰＥＧ２データ）として出力される。判定部６１は、ＭＥＲ検出部６０−１〜６０−ｎからの、ブランチごとのＭＥＲと、ＭＥＲ検出部６４からの合成後のＭＥＲとを受信し、合成後のＭＥＲが良好であった場合に、どのブランチの重みを「０」にするかを判定する。そして、判定部６１は、クロック制御部６７−１〜６７−ｎの内、停止すべきブランチのクロック制御部がクロック発生部６６からのクロック信号を停止するように制御を行なう。レジスタ６８は、合成制御部６２−１〜６２−ｎからの、各ブランチの復調データに与えられた重みの値と、クロック制御部６７−１〜６７−ｎの動作／停止状態を格納し、外部インタフェースを用いて格納されたデータをユーザが読み出せるようになっている。
【００４６】
図１３及び図１４に記載された構成は、図９及び図１０に記載された構成と同じものである。ブランチは２つのみ記載しているが、任意の２以上の数であっても良い。
誤差計算部４４−１、４４−２が、クロック同期、キャリア同期を行なうための周波数誤差を計算し、その誤差値を、ループフィルタ４５−１〜４５−４、及び、モード検出部４７−１、４７−２に与える。ループフィルタ４５−１、４５−３は、クロック同期を、ループフィルタ４５−２、４５−４は、キャリア同期を取るための制御信号を生成し、クロック同期を取る誤差補正部４０−１、４０−２、及び、キャリア同期を取る誤差補正部４１−１、４１−２に制御信号を与える。
【００４７】
モード検出部４７−１、４７−２は、ＦＦＴ部４２−１、４２−２それぞれに、検出したモードの設定値を与える。キャリア周波数ずれ計算部４８−１、４８−２は、ＦＦＴ後の信号を取得し、キャリア周波数のずれを計算する。そして、計算結果を、ループフィルタ４５−２、４５−４を介して、誤差補正部４１−１、４１−２に与え、キャリア周波数ずれを補正させる。
【００４８】
ブランチ１のループフィルタ４５−１、４５−２、モード検出部４７−１、キャリア周波数ずれ計算部４８−１には、図１４（ａ）の回路が搭載され、ブランチ２のループフィルタ４５−３、４５−４、モード検出部４７−２、キャリア周波数ずれ計算部４８−２には、図１４（ｂ）の回路が搭載される。
【００４９】
図１４（ａ）及び図１４（ｂ）の回路は、図１０の回路と同じであり、セレクタ５０−１、５０−２の制御信号の生成回路４６−１、４６−２が、図１３内ではなく、図１４（ａ）、（ｂ）の回路図の中に記載されている部分が異なるだけである。すなわち、図１４（ａ）、（ｂ）の回路には、レジスタ５１−１、５１−２が設けられる。図１４（ａ）の回路は、ブランチ１における、ループフィルタ４５−１、４５−２、モード検出部４７−１、キャリア周波数ずれ計算部４８−１の検出値をレジスタ５１−１に格納する。ブランチ２における、ループフィルタ４５−３、４５−４、モード検出部４７−２、キャリア周波数ずれ計算部４８−２内に設けられる図１４（ｂ）のセレクタ５０−２に、レジスタ５１−１の保持値をブランチ１の保持値として入力するようになっている。図１４（ｂ）のレジスタ５１−２内の保持値も、図１４（ａ）のセレクタ５０−１に与えるようになっている。ブランチ１が同期状態で、ブランチ２が同期はずれ状態であり、ブランチ２が起動しようとするときには、図１４（ａ）のレジスタ５１−１内の設定値が、図１４（ｂ）のセレクタ５０−２から選択されて出力され、キャリア同期、クロック同期、キャリア周波数ずれの補正値及びモード検出結果として使用される。同様に、ブランチ１が同期はずれ状態で、ブランチ２が同期状態の場合も、ブランチ２の保持値が、ブランチ１の補正値及びモード検出結果として使用される。
【００５０】
このように、新たなブランチを起動しようとする場合、すでに起動しているブランチの設定値を使用して、新たなブランチの動作を設定することにより、新たなブランチの立ち上がり時間を短くすることが出来る。
【００５１】
図１５は、第３の実施形態において、ブランチが２本の場合の動作を説明するフローチャートである。
初期状態（ステップＳ４０）では、２つのブランチともに動作しており、ステップＳ４１において、同期状態を検出する。両方同期していない場合は、受信環境が劣悪であると判断し、１ブランチのクロックを停止する（ステップＳ４８）ことで消費電力を削減する。片方のみが同期している場合は、非同期ブランチの合成を停止し（ステップＳ４９）、ステップｓ４１に戻る。
【００５２】
両ブランチともに同期している場合は、ステップＳ４２において、受信状況が良好か否かを判断する。ステップＳ４２の判断がＮｏ場合には、ステップＳ４１に戻る。ステップＳ４２の判断がＹｅｓの場合には、ステップＳ４３において、各ブランチのＭＥＲを検出し、ステップＳ４４において、ＭＥＲが大きい（受信品質が悪い）方のブランチの信号の他ブランチの信号との合成を停止する。ステップＳ４５で、合成が停止されたブランチのクロックを停止する。ステップＳ４６において、動作しているブランチが同期状態か否かを判断し、非同期の場合には、ステップＳ４６において、同期状態になるまで待つ。同期状態になった場合には、ステップＳ４７において、同期状態にあるブランチの受信状態が良好か否かを判断する。受信状態が良好の場合には、ステップＳ４６に戻る。受信状態が良好でないと判断された場合には、ステップＳ５０において、停止ブランチのクロック動作を開始し、ステップＳ５１において、同期ブランチの、同期用検出情報の保持値をクロック動作が開始したブランチへ適用する。ステップＳ５２において、新たに動作を開始したブランチが同期状態であるか否かを判断する。非同期の場合には、ステップＳ４１に戻る。ステップＳ５２で、同期が取れたと判断された場合には、ステップＳ５３において、新たに動作を開始し、同期がとれたブランチの信号の合成を開始して、ステップＳ４１に戻る。
【００５３】
図１６は、第３の実施形態において、ブランチが３本以上の場合の動作を説明するフローチャートである。
２本のブランチの場合と同様に、初期状態では全ブランチ動作しており、同期状態、および、受信状況を検出して、受信状況に応じて、ブランチの合成、クロックの停止、開始を制御する。受信状況が良い場合は、ブランチ１つを停止、悪い場合は、ブランチ１つを開始というような動作を断続的に行う。
【００５４】
すなわち、ステップＳ６０において、同期ブランチ数の検出を行なう。ステップＳ６１において、受信状態が良好か否かを、合成後のＭＥＲを検出することによって判断する。受信状態が良好な場合には、ステップＳ６２において、同期ブランチ数＞１であるか否かを判断する。ステップＳ６２の判断がＮｏの場合には、ステップＳ６０に戻る。ステップＳ６２の判断がＹｅｓの場合には、ステップＳ６３において、各ブランチのＭＥＲを検出する。そして、ステップＳ６４において、ＭＥＲが最も大きいブランチの信号の合成を停止し、ステップＳ６５において、合成が停止したブランチへのクロック供給を停止して、ステップＳ６０に戻る。
【００５５】
ステップＳ６１の判断がＮｏの場合には、ステップＳ６６において、停止ブランチ数＞０であるか否かを判断する。ステップＳ６６の判断がＮｏの場合には、ステップＳ６０に戻る。ステップＳ６６の判断がＹｅｓの場合には、ステップＳ６７において、停止ブランチのクロック動作を開始する。ステップＳ６８において、既に同期して動作していたブランチの同期用検出情報の保持値を、クロック動作を始めたブランチに適用する。ステップ
Ｓ６９において、新たに動作を始めたブランチが同期状態にあるか否かを判断する。非同期である場合には、ステップＳ６０に戻り、同期している場合には、ステップＳ７０において、新たに動作を始め、同期が確立されたブランチの信号の合成を開始し、ステップＳ６０に戻る。
【００５６】
図１７は、本発明の実施形態を適用したデジタル放送復調装置を備えるデジタル放送受信装置のブロック構成図である。
例えば、２ブランチの場合、デジタル放送復調装置７２は、２つのチューナ（ＲＦ）７１−１、７１−２と共に、チューナモジュール７３に搭載される。２つのチューナ７１−１、７１−２には、それぞれ、アンテナ７０−１、７０−２が取り付けられている。制御回路７５は、デジタル放送復調装置７２を制御する。記憶回路７６は、デジタル放送のチャネルの数だけ設けられており、各チャネルの復調情報１〜Ｎを格納する。画面表示制御回路７４は、デジタル放送復調装置７２から出力されるユーザデータ、たとえば、ＭＰＥＧ２信号などを画面に表示させるための制御を行なう。
【００５７】
以上の構成によれば、受信状況が良い場合、デジタル放送復調装置７２の制御回路７５から、復調装置のブランチ停止状態を読み出し、停止ブランチがある場合、停止ブランチを用いて、視聴チャネル以外のチャネルサーチし、復調情報を記憶し、視聴可能チャネルの表示を行うといった処理が可能となる。
【００５８】
以上の第１〜第３の実施形態のほかに、以下の付記を開示する。
（付記１）
信号を受信して第一復調信号を生成する第一復調回路と、
前記信号を受信して第二復調信号を生成する第二復調回路と、
前記第一復調信号と前記第二復調信号を合成して、合成復調信号を生成する合成部と、
前記合成復調信号に基づいて受信状況を検出し、検出信号を出力する第一検出部と、
前記検出信号に基づいて、前記第一復調回路又は前記第二復調回路のいずれかに対して合成の停止を行い、次いで前記第一復調回路又は前記第二復調回路のいずれかを停止するよう制御する制御部と
を有することを特徴とする復調回路。
（付記２）
前記第一復調信号に基づいて受信状況の検出する第二検出部と、
前記第二復調信号に基づいて受信状況の検出する第三検出部と、
をさらに有し、
前記制御部は、前記第一復調回路と前記第二復調回路のうち、受信状況の悪いほうを選択して前記合成の停止を行うことを特徴とする付記１に記載の復調回路。
（付記３）
前記第一検出部、前記第二検出部、前記第三検出部はそれぞれＭＥＲ検出回路、Ｃ/Ｎ検出回路、又は誤り訂正回路のいずれかであることを特徴とする付記２に記載の復調回路。
（付記４）
前記第一復調回路及び前記第二復調回路にクロックを供給するクロック発生源をさらに有し、
前記第一復調回路又は前記第二復調回路のいずれかを停止する制御は、前記クロックの供給停止を行う制御であることを特徴とする付記１乃至３いずれか１項に記載の復調回路。
（付記５）
前記クロックの供給停止により、前記第二検出部又は前記第三検出部の検出動作も停止させることを特徴とする付記４に記載の復調回路。
（付記６）
前記合成の停止が行われた前記第一復調回路又は前記第二復調回路を用いて、他チャンネル情報を取得することを特徴とする付記１乃至５何れか１項に記載の復調回路。
（付記７）
前記第一検出部の検出結果により、受信状況が悪くなったと判断されたら、前記合成の停止が行われた前記第一復調回路又は前記第二復調回路の合成の再開を行うことを特徴とする付記１に記載の復調回路。
（付記８）
前記第一復調回路はさらに第一同期回路を有し、
前記第二復調回路はさらに第二同期回路を有し、
前記合成の再開を行う場合に、動作中の前記第一同期回路又は前記第二同期回路の同期情報を用いて停止中の前記第一同期回路又は前記第二同期回路の同期を行なうことを特徴とする付記１に記載の復調回路。
（付記９）
前記合成の再開は、停止している前記第一復調回路又は前記第二復調回路への前記クロックの供給を開始し、次いで前記合成部での合成を再開することを特徴とする付記７又は８のいずれか１項に記載の復調回路。
（付記１０）
信号を受信して第一復調信号を生成する第一復調回路と、前記信号を受信して第二復調信号を生成する第二復調回路と、前記第一復調信号と前記第二復調信号を合成して、合成復調信号を生成する合成部と、前記合成復調信号に基づいて受信状況を検出し、検出信号を出力する第一検出部と、前記検出信号に基づいて、前記第一復調回路又は前記第二復調回路のいずれかに対して合成の停止を行いし、次いで前記第一復調回路又は前記第二復調回路のいずれかを停止するよう制御する制御部とを有する復調回路と、
前記第一復調回路に接続され、前記信号を受信する第一アンテナと、
前記第二復調回路に接続され、前記信号を受信する第二アンテナと、
前記合成復号信号を処理して前記信号の再生処理を行う再生処理部と、
を備えることを特徴とする復調端末。
（付記１１）
キャリア信号から第一クロック抽出を行なう第一同期部と、
前記キャリア信号から第二クロック抽出を行なう第二同期部と、
前記第一同期部の同期はずれを示す第一検出信号を出力する第一検出回路と、
前記第一同期部の第一同期情報と、前記第二同期部の第二同期情報が入力され、前記第一検出信号に基づき、前記第二同期情報を、前記第一同期部へ送信する選択回路と、
前記第一同期部の出力を復調する第一復調回路と、
前記第二同期部の出力を復調する第二復調回路と、
前記第一復調回路の第一復調信号と前記第二復調回路の第二復調信号を合成する合成回路と、
を備える復調装置。
（付記１２）
前記第一同期部は、
キャリア周波数ずれ計算部と、
前記キャリア周波数ずれ計算部の出力に基づいて前記第一同期情報を出力するフィルター回路と、
前記フィルター回路の出力に基づいてクロック誤差補正を行うクロック誤差補正回路と、
を更に備えることを特徴とする付記１１に記載の復調装置。
（付記１３）
前記第二同期部は、同期はずれを示す第二検出信号を出力する第二検出回路をさらに有し、前記第一同期部と前記第二同期部が相互に前記第一同期情報及び前記第二同期情報を送信することを特徴とする付記１１に記載の復調装置。
（付記１４）
前記第一検出回路又は前記第二検出回路はフレーム同期回路であることを特徴とする付記１３に記載の復調装置。
（付記１５）
前記選択回路は、出力した前記第一同期情報又は前記第二同期情報を保持するレジスタをさらに有することを特徴とする付記１１に記載の復調装置。
【図面の簡単な説明】
【００５９】
【図１】一般的なデジタル放送復調装置の構成を説明する図である。
【図２】本発明の第１の実施形態に従ったデジタル放送復調装置の構成を示す図である。
【図３】本発明の第１の実施形態に従ったデジタル放送復調装置の動作を示すフローチャートである。
【図４】ＭＥＲ(Modulation Error Rate)について説明する図である。
【図５】受信状況の判定方法を説明するフローチャートである。
【図６】停止ブランチを使って他チャンネルの上方をバックグランドで取得する処理の流れを示すフローチャートである。
【図７】本発明の第２の実施形態を説明するための復調装置の全体ブロック図である。
【図８】信号の受信開始から同期確立までの過程を模式的に記載したものである。
【図９】本発明の第２の実施形態に従ったデジタル放送復調装置の構成を示す図（その１）である。
【図１０】本発明の第２の実施形態に従ったデジタル放送復調装置の構成を示す図（その２）である。
【図１１】第２の実施形態の効果を説明する図である。
【図１２】第１と第２の実施形態の両方を併用した第３の実施形態にしたがったデジタル放送復調装置のブロック構成図（その１）である。
【図１３】第１と第２の実施形態の両方を併用した第３の実施形態にしたがったデジタル放送復調装置のブロック構成図（その２）である。
【図１４】第１と第２の実施形態の両方を併用した第３の実施形態にしたがったデジタル放送復調装置のブロック構成図（その３）である。
【図１５】第３の実施形態において、ブランチが２本の場合の動作を説明するフローチャートである。
【図１６】第３の実施形態において、ブランチが３本以上の場合の動作を説明するフローチャートである。
【図１７】本発明の実施形態を適用したデジタル放送復調装置を備えるデジタル放送受信装置のブロック構成図である。
【符号の説明】
【００６０】
１０      デジタル放送復調装置（ＬＳＩ）
１１−１〜１１−ｎ、３０−１、３０−２、５５−１〜５５−ｎ      Ａ／Ｄ変換器
１２−１〜１２−ｎ      復調部
１３、６３      合成部
１４、６５      誤り訂正部
２０−１〜２０−ｎ、６０−１〜６０−ｎ      ＭＥＲ検出部
２１、６１      判定部
２２−１〜２２−ｎ、６２−１〜６２−ｎ      合成制御部
２３、６４      ＭＥＲ検出部
２４      クロック発生部
２５−１〜２５−ｎ      クロック制御部
２６      レジスタ
３１−１、３１−２、５６−１〜５６−ｎ      同期部
３２−１、３２−２、５７−１〜５７−ｎ      ＦＦＴ部
３３−１、３３−２、５８−１〜５８−ｎ      フレーム同期部
３４−１、３４−２、５９−１〜５９−ｎ      復調部
３５      合成部
３６      誤り訂正部
４０−１、４０−２、４１−１、４１−２      誤差補正部
４２−１、４２−２      ＦＦＴ部
４３−１、４３−２      フレーム同期部
４４−１、４４−２      誤差計算部
４５−１〜４５−４      ループフィルタ
４７−１、４７−２      モード検出部
４８−１、４８−２      キャリア周波数ずれ計算部
５０−１、５０−２      セレクタ
５１−１、５１−２      レジスタ
７０−１、７０−２      アンテナ
７１−１、７１−２      チューナ
７２      デジタル放送復調装置
７３      チューナモジュール
７４      画面表示制御回路
７５      制御回路
７６      記憶回路
【図１】
2009100058.tif 000003
【図２】
2009100058.tif 000004
【図３】
2009100058.tif 000005
【図４】
2009100058.tif 000006
【図５】
2009100058.tif 000007
【図６】
2009100058.tif 000008
【図７】
2009100058.tif 000009
【図８】
2009100058.tif 000010
【図９】
2009100058.tif 000011
【図１０】
2009100058.tif 000012
【図１１】
2009100058.tif 000013
【図１２】
2009100058.tif 000014
【図１３】
2009100058.tif 000015
【図１４】
2009100058.tif 000016
【図１５】
2009100058.tif 000017
【図１６】
2009100058.tif 000018
【図１７】
2009100058.tif 000019